(57)【要約】【課題】内容物の減少を利用した付加価値を創出することができる容器体を提供する。【解決手段】容器体１を、透明性を有した容器本体２と芳香剤３で構成し、芳香剤３を青色に着色する。容器本体２を赤色に着色し、内部を視認可能とする。これにより、容器本体２の壁面１１で着色部を構成し、青色の芳香剤３を容器本体２の赤色の壁面１１を通して見た際に紫色に見えるように構成する。【選択図】        図１
2004210296.tif 000002
【特許請求の範囲】
【請求項１】
使用に伴って減少する内容物が容器本体に収容されてなる容器体において、
前記内容物を着色する一方、前記容器本体を透明性を有した部材で構成するとともに、該容器本体に、前記内容物と共同して当該内容物と異なる色を形成する着色部を設けたことを特徴とする容器体。
【請求項２】
使用に伴って減少する内容物が容器本体に収容されてなる容器体において、
前記内容物を着色する一方、前記容器本体を透明性を有した部材で構成するとともに、該容器本体に、前記内容物と同系色の同系着色部を設けたことを特徴とする容器体。
【請求項３】
前記同系着色部は文字からなることを特徴とする請求項２記載の容器体。
【請求項４】
使用に伴って減少する内容物が容器本体に収容されてなる容器体において、
前記内容物を着色する一方、前記容器本体を透明性を有した部材で構成するとともに、該容器本体に、前記内容物と共同して当該内容物と異なる色を形成する着色部及び前記内容物と同系色の同系着色部を設けたことを特徴とする容器体。
【発明の詳細な説明】
【０００１】
【発明の属する技術分野】
本発明は、液状薬剤やゲル剤など使用時に減少する内容物が収容された容器体に関する。
【０００２】
【従来の技術】
従来、部屋にこもった悪臭を取り除いたり、部屋に芳香剤を付与したりする際には、消臭剤や芳香剤が使用されていた。
【０００３】
この消臭剤や芳香剤は、液状薬剤やゲル剤などの内容物が容器本体内に収容されてなり、内容物を蒸散することで消臭や芳香できるように構成されている。
【０００４】
前記容器本体は、無色透明の部材で形成されており、内容物の残存量を確認できるように構成されていた。
【０００５】
【発明が解決しようとする課題】
しかしながら、このような容器体にあっては、内容物の減り具合は確認できるものの、減少過程での面白みに欠けていた。
【０００６】
本発明は、このような従来の課題に鑑みてなされたものであり、内容物の減少を利用した付加価値を創出することができる容器体を提供することを目的とするものである。
【０００７】
【課題を解決するための手段】
前記課題を解決するために本発明の請求項１の容器体にあっては、使用に伴って減少する内容物が容器本体に収容されてなる容器体において、前記内容物を着色する一方、前記容器本体を透明性を有した部材で構成するとともに、該容器本体に、前記内容物と共同して当該内容物と異なる色を形成する着色部を設けた。
【０００８】
すなわち、この容器本体に着色された内容物を収容した状態において、容器本体に設けられた着色部の部位は、内容物と異なる色となる。
【０００９】
そして、この内容物が減少する過程において、前記着色部は徐々に元の色に変化する。
【００１０】
また、本発明の請求項２の容器体にあっては、使用に伴って減少する内容物が容器本体に収容されてなる容器体において、前記内容物を着色する一方、前記容器本体を透明性を有した部材で構成するとともに、該容器本体に、前記内容物と同系色の同系着色部を設けた。
【００１１】
すなわち、容器本体に収容された内容物は、容器本体に設けられた同系着色部と同系色に着色されており、前記同系着色部は、前記内容物と同化することにより隠れた状態となる。
【００１２】
そして、この内容物が減少する過程において、前記内容物と同化した前記同系着色部が徐々に顕在化される。
【００１３】
さらに、請求項３の容器体では、前記同系着色部は文字からなる。
【００１４】
すなわち、容器本体に設けられた同系着色部は、文字によって構成されており、内容物が減少した際には、その文字が顕在化される。
【００１５】
加えて、請求項４の容器体にあっては、使用に伴って減少する内容物が容器本体に収容されてなる容器体において、前記内容物を着色する一方、前記容器本体を透明性を有した部材で構成するとともに、該容器本体に、前記内容物と共同して当該内容物と異なる色を形成する着色部及び前記内容物と同系色の同系着色部を設けた。
【００１６】
すなわち、この容器本体に着色された内容物を収容した状態において、容器本体に設けられた着色部の部位は、内容物と異なる色となる。また、容器本体に設けられた同系着色部は、前記内容物と同化することにより隠れた状態となる。
【００１７】
そして、この内容物が減少する過程において、前記着色部は徐々に元の色に変化するとともに、前記内容物と同化した前記同系着色部は徐々に顕在化される。
【００１８】
【発明の実施の形態】
（第１の実施の形態）
【００１９】
以下、本発明の第１の実施の形態を図に従って説明する。図１は、本実施の形態にかかる容器体１を示す図であり、この容器体１は、透明性を有した容器本体２と、該容器本体２内に収容された内容物としての芳香剤３とによって構成されている。なお、前記内容物としては、消臭剤であっても良い。
【００２０】
前記芳香剤３は、蒸散時に芳香効果を発揮する薬剤がゲル化されてなり、当該芳香剤３は、使用するに従って容積が減少するように構成されている。この芳香剤３は、青色に着色されている。なお、この芳香剤を、液体薬剤で構成しても良い。
【００２１】
前記容器本体２は、上部が開口しており、この開口部から前記芳香剤３を外部へ蒸散できるように構成されている。この容器本体２は、全面が赤色に着色されているとともに透明性が確保されており、内部が視認できるように構成されている。
【００２２】
これにより、前記容器本体２は、総ての壁面１１が本発明の着色部を構成しており、青色に着色された前記芳香剤３を容器本体２の壁面１１を通して見た際に、前記芳香剤３が残存する部分が、当該芳香剤３と異なる紫色に見えるように構成されている。
【００２３】
以上の構成にかかる本実施の形態において、図１中矢示Ａで示したように、赤色の容器本体２内に青色の芳香剤３を収容すると、矢示Ｂで示すように、芳香剤３が収容された容器本体２の壁面１１の部分が紫色に変化する。そして、矢示Ｃから矢示Ｄに示したように、使用に伴って前記芳香剤３が減少すると、前記容器本体２の壁面１１は、徐々に壁面１１の元の色である赤色に変化する。
【００２４】
このように、容器本体２内の芳香剤３が減少する過程において、容器本体２の壁面１１が徐々に紫色から赤色に変化するため、芳香剤３の残存量を外部から確認することができる。
【００２５】
このとき、前記壁面１１が徐々に紫色から赤色に変化する様子を観察することができる。よって、容器本体内の芳香剤の残存量のみが見える従来の容器体と比較して、減少過程での容器本体２の色の変化を楽しむことができる。
【００２６】
加えて、芳香剤３減少時において、着色された容器本体２の壁面１１には、赤色が残存するため、容器本体２が無色透明な従来と比較して、外観品質の向上も図ることができる。
【００２７】
（第２の実施の形態）
【００２８】
図２は、第２の実施の形態にかかる容器体２１を示す図であり、この容器体２１は、無色透明の容器本体２２と、該容器本体２２内に収容された内容物としての芳香剤２３とによって構成されている。なお、前記内容物としては、消臭剤であっても良い。
【００２９】
前記芳香剤２３は、蒸散時に芳香効果を発揮する薬剤がゲル化されてなり、当該芳香剤２３は、使用するに従って容積が減少するように構成されている。この芳香剤２３は、緑色に着色されているとともに透明性が確保されている。なお、この芳香剤２３を、液体薬剤で構成しても良い。
【００３０】
前記容器本体２２は、上部が開口しており、この開口部から前記芳香剤２３を外部へ蒸散できるように構成されている。この容器本体２２の壁面３１の後面側に、前面より視認できうる様に赤色で円形に着色された意匠からなる着色部３２が、また、容器本体２２の壁面３１の前面側には赤色で円形に着色された意匠からなる着色部３３が設けられており、緑色に着色された前記芳香剤２３を通して後面側の着色部３２を見た際に、前記芳香剤２３と異なる色である黄色に見えるように構成されている。
【００３１】
以上の構成にかかる本実施の形態において、図２中矢示Ｅで示したように、容器本体２２内に緑色の芳香剤２３を収容する。すると、矢示Ｆで示すように、容器本体２２の後面側に設けられた赤色の着色部３２は、緑色の芳香剤２３を通して見ることとなり、該芳香剤２３と異なる色である黄色に見える一方、容器本体の前面側に設けられた赤色の着色部３３は、緑色の芳香剤２３を通すこと無く見ることとなるため、赤色に見える。そして、矢示Ｇに示したように、使用に伴って前記芳香剤２３が減少すると、前記容器本体２２に設けられた後面側の着色部３２は、徐々に元の色である赤色に変化する。
【００３２】
このように、容器本体２２内の芳香剤２３が減少する過程において、容器本体２２に設けられた後面側の着色部３２が徐々に黄色から赤色に変化するため、芳香剤２３の残存量変化を外部から確認することができる。
【００３３】
このとき、前記着色部３２が徐々に黄色から赤色に変化する様子を観察することができるので、容器本体内の芳香剤の残存量のみが見える従来の容器体と比較して、減少過程での容器本体２２の色の変化を楽しむことができる。
【００３４】
加えて、芳香剤２３の減少時において、容器本体２２には、赤色の着色部３２が残存するため、容器本体２２が無色透明な従来と比較して、外観品質の向上も図ることができる。
【００３５】
（第３の実施の形態）
【００３６】
図３は、第３の実施の形態にかかる容器体４１を示す図であり、この容器体４１は、無色透明の容器本体４２と、該容器本体４２内に収容された内容物としての芳香剤４３とによって構成されている。なお、前記内容物としては、消臭剤であっても良い。
【００３７】
前記芳香剤４３は、蒸散時に芳香効果を発揮する薬剤がゲル化されてなり、当該芳香剤４３は、使用するに従って容積が減少するように構成されている。この芳香剤４３は、黄色に着色されている。なお、この芳香剤４３を、液体薬剤で構成しても良い。
【００３８】
前記容器本体４２は、上部が開口しており、この開口部から前記芳香剤４３を外部へ蒸散できるように構成されている。この容器本体４２の壁面５１には、前記芳香剤４３と同色（同系色）である黄色で星形に着色された意匠からなる同系着色部５２が設けられており、この容器本体４２内に黄色で着色された前記芳香剤４３を収容した状態で、前記同系着色部５２が前記芳香剤４３に同化して隠蔽されるように構成されている。
【００３９】
以上の構成にかかる本実施の形態において、図３中矢示Ｈで示したように、容器本体４２内に黄色の芳香剤４３を収容する。すると、矢示Ｉで示すように、容器本体４２に設けられた同系着色部５２は、前記芳香剤４３と同化することにより見かけ上、容器本体４２表面から消える。
【００４０】
そして、矢示Ｊから矢示Ｋに示したように、使用に伴って前記芳香剤４３が減少すると、前記芳香剤４３と同化した前記同系着色部５２は徐々に顕在化する。このため、前記芳香剤４３の残存量を容器本体４２外部から確認することができる。
【００４１】
このとき、前記同系着色部５２が徐々に顕在化する様子を観察することができるため、容器本体内の芳香剤の残存量のみが見える従来の容器体と比較して、減少過程での容器本体４２の外観上の変化を楽しむことができる。
【００４２】
加えて、芳香剤４３の減少時には、前記容器本体４２に黄色で星形の同系着色部５２が残存するため、容器本体が無色透明な従来と比較して、外観品質の向上も図ることができる。
【００４３】
なお、本実施の形態にあっては、同系着色部５２が部分的に設けられた場合を例に挙げて説明したが、これに限定されるものでは無く、例えば容器本体４２のほぼ全域に同系着色部を形成し、その一部を透明化した構造であっても良い。
【００４４】
（第４の実施の形態）
【００４５】
図４は、第４の実施の形態にかかる容器体６１を示す図であり、この容器体６１は、無色透明の容器本体６２と、該容器本体６２内に収容された内容物としての芳香剤６３と、前記容器本体６２に取り付けられたキャップ６４とによって構成されている。なお、前記内容物としては、消臭剤であっても良い。
【００４６】
前記芳香剤６３は、蒸散時に芳香効果を発揮する液状薬剤からなり、当該芳香剤６３は、使用するに従って容量が減少するように構成されている。この芳香剤６３は、青色に着色されている。
【００４７】
前記容器本体６２の上部開口部は、前記キャップ６４で覆われており、該キャップ６４内部には芯材７１で吸い上げた前記芳香剤６３を揮散させる揮散体（図示せず）が設けられている。また、該キャップ６４には、揮散体から前記芳香剤６３を外部へ蒸散する為のスリット７２，・・・が設けられている。この容器本体６２の壁面７３には、前記芳香剤６３と同色（同系色）である青色の同系着色部７４が設けられている。
【００４８】
該同系色部７４は、容器本体６２の底部側に設けられており、「おわり」という文字を構成している。これにより、前記容器本体６２内に青色で着色された前記芳香剤６３を収容した状態では、前記同系着色部７４が前記芳香剤６３と同化して隠蔽される一方、前記芳香剤６３を使い切った場合には、「おわり」の文字からなる同系着色部７４が顕在化されるように構成されている。
【００４９】
以上の構成にかかる本実施の形態において、図４中矢示Ｌで示したように、容器本体６２内に青色の芳香剤６３を収容する。すると、容器本体６２に設けられた同系着色部７４は、前記芳香剤６３と同化することにより見かけ上、容器本体６２表面から消える。
【００５０】
次に、矢示Ｍから矢示Ｎに示したように、使用に伴って前記芳香剤６３が減少すると、前記芳香剤６３と同化した前記同系着色部７４は徐々に顕在化する。このため、前記芳香剤６３の残存量を容器本体６２外部から確認することができる。
【００５１】
このとき、前記同系着色部７４が徐々に顕在化する様子を見ることができるため、容器本体内の芳香剤の残存量のみが見える従来の容器体と比較して、減少過程での容器本体６２の外観上の変化を楽しむことができる。
【００５２】
そして、芳香剤６３を使い切った際には、矢示Ｎで示したように、青色で形成された同系着色部７４が完全に顕在化し、「おわり」という文字が表出する。このため、芳香剤６３の減少量に応じた文字列の表示が可能となり、付加価値の向上を図ることができる。また、顕在化された同系着色部７４の文字によって、使い切ったことを知らせることができ、交換を促すことができる。
【００５３】
加えて、芳香剤６３を使い切った際には、前記容器本体６２に青色で形成された同系着色部７４が顕在化するため、容器本体が無色透明で殺風景な従来と比較して、品質感を高めることができる。
【００５４】
（第５の実施の形態）
【００５５】
図５は、第５の実施の形態にかかる容器体８１を示す図であり、この容器体８１は、無色透明の容器本体８２と、該容器本体８２内に収容された内容物としての芳香剤８３と、前記容器本体８２に取り付けられたキャップ８４とによって構成されている。なお、前記内容物としては、消臭剤であっても良い。
【００５６】
前記芳香剤８３は、蒸散時に芳香効果を発揮する液状薬剤からなり、当該芳香剤８３は、使用するに従って容量が減少するように構成されている。この芳香剤８３は、青色に着色されている。
【００５７】
前記容器本体８２の上部開口部は、前記キャップ８４で覆われており、該キャップ８４内部には芯材９１で吸い上げた前記芳香剤８３を揮散させる揮散体（図示せず）が設けられている。また、該キャップ８４には、揮散体から前記芳香剤８３を外部へ蒸散する為のスリット９２，・・・が設けられている。この容器本体８２の壁面９３の前面には、底部近傍に、赤色で正方形に着色された着色部９４が、該着色部９４の上部には、前記芳香剤８３と同色（同系色）である青色で三角形に着色された同系着色部９５とが設けられている。なお、着色部９４及び同系着色部９５は、着色されると共に透明性が確保されている。
【００５８】
以上の構成にかかる本実施の形態において、図５中矢示Ｐで示したように、容器本体８２内に青色の芳香剤８３を収容する。すると、容器本体８２に設けられた赤色の着色部９４は、青色の芳香剤８３を通して見えることになり、該芳香剤８３と異なる色である紫に見える一方、同系着色部９５は、前記芳香剤８３と同化することにより見かけ上、容器本体８２表面から消える。すなわち、容器本体８２の表面には、紫色の正方形のみが見える状態になる。
【００５９】
次に、矢示Ｑに示すように、使用に伴って前記芳香剤８３が減少すると、該芳香剤８３と同化した前記同系着色部９５が顕在化し、容器本体８２の表面からは、全体として青色の屋根、紫色の壁の家の図形が現れることになる。
【００６０】
そして、矢示Ｒに示すように、更に芳香剤８３が減少すると着色部９４は元の色である赤色に変化し、容器本体８２の表面からは、全体として、青色の屋根、赤色の壁の家の図形が現れることになる。
【００６１】
このように、容器本体８２内の芳香剤８３が減少する過程において、容器本体８２に設けられた着色部９４の色が変化し、若しくは同系着色部９５が顕在化するため、芳香剤８３の残存量の変化を外部から確認することができる。
【００６２】
このとき、前記着色部９４及び前記同系着色部９５が変化する様子を観察することができるので、容器本体内の芳香剤の残存量のみが見える従来の容器体と比較して、減少過程での容器本体８２の色の変化を楽しむことができる。
【００６３】
加えて、芳香剤８３の減少時において容器本体８２には、着色部９４及び同系着色部９５が残存するため、容器本体が無色透明な従来と比較して、外観品質の向上を図ることもできる。
【００６４】
なお、各実施の形態における芳香剤２，２３，４３，６３，８３の色と、壁面１１あるいは着色部３２，３３又は同系着色部５２，７４の色と、その組み合わせから生じる色との関係は、前述したものに限定されるものでは無い。
【００６５】
すなわち、赤色と黄色の組み合わせにより橙色を、黄色と青色の組み合わせにより緑色を、赤色と青色と黄色の組み合わせによって黒色を形成することができる。なお、各色の比率は、１：１とする。さらに、赤色と青色と黄色との比率を可変して組み合わせることによって、さらに多数の色に変化させることができる。
【００６６】
また、各実施の形態では、円形や星形、文字等の簡単な着色部３２，３３，５２，７４，９４，９５と付したものについて説明したが、もっと複雑な図形や模様、絵等でも可能であり、従来品と比較して更に品質感を高めることができる。
【００６７】
さらに、各実施の形態では、芳香剤３，２３，４３，６３，８３や消臭剤の蒸散により内容物が減少する容器体１，２１，４１，６１，芳香剤８１について説明したが、本発明はこれに限定されること無く、単に使用により内容物が減少するもの、例えば洗剤容器、シャンプーの容器、飲料の容器、調味料の容器等に使用することも可能である。
【００６８】
【発明の効果】
以上説明したように本発明の請求項１の容器体にあっては、容器本体内の内容物が減少する過程において、容器本体に設けられた着色部が徐々に元の色に変化するため、内容物の残存量を外部から確認することができる。
【００６９】
このとき、前記着色部が徐々に他の色に変化する様子を観察することができる。よって、容器本体内の内容物の残存量のみが見える従来の容器体と比較して、減少過程での容器本体の色の変化を楽しむことができる。
【００７０】
加えて、内容物減少時には、前記容器本体に着色部が残存するため、容器本体が無色透明な従来と比較して、外観品質の向上も図ることができる。
【００７１】
また、本発明の請求項２の容器体にあっては、容器本体内の内容物が減少する過程において、前記内容物に同化した前記容器本体の同系着色部が徐々に顕在化するため、前記内容物の残存量を外部から確認することができる。
【００７２】
このとき、前記同系着色部が徐々に顕在化する様子を観察することができるため、容器本体内の内容物の残存量のみが見える従来の容器体と比較して、減少過程での容器本体の外観上の変化を楽しむことができる。
【００７３】
加えて、内容物減少時には、前記容器本体に同系着色部が残存するため、容器本体が無色透明な従来と比較して、外観品質の向上も図ることができる。
【００７４】
さらに、請求項３の容器体では、容器本体内の内容物が減少した際に、同系着色部が構成する文字を顕在化させることができる。
【００７５】
これにより、前記内容物の減少量に応じた文字列の表示が可能となり、付加価値のさらなる向上を図ることができる。
【００７６】
加えて、請求項４の容器体にあっては、容器本体内の内容物が減少する過程において、容器本体に設けられた着色部が徐々に元の色に変化するとともに、前記内容物に同化した前記容器本体の同系着色部が徐々に顕在化するため、前記内容物の残存量を外部から確認することができる。
【００７７】
このとき、前記着色部が徐々に他の色に変化する様子と、前記同系着色部が徐々に顕在化する様子とを観察することができる。よって、容器本体内の内容物の残存量のみが見える従来の容器体と比較して、減少過程での容器本体の色の変化を楽しむことができる。
【００７８】
また、内容物減少時には、前記容器本体に着色部及び同系着色部が残存するため、容器本体が無色透明な従来と比較して、外観品質の向上も図ることができる。
【図面の簡単な説明】
【図１】本発明の第１の実施の形態を示す図である。
【図２】本発明の第２の実施の形態を示す図である。
【図３】本発明の第３の実施の形態を示す図である。
【図４】本発明の第４の実施の形態を示す図である。
【図５】本発明の第５の実施の形態を示す図である。
【符号の説明】
１    容器体
２    容器本体
３    芳香剤（内容物）
２１    容器体
２２    容器本体
２３    芳香剤（内容物）
３２    着色部
４１    容器体
４２    容器本体
４３    芳香剤（内容物）
５２    同系着色部
６１    容器体
６２    容器本体
６３    芳香剤（内容物）
７４    同系着色部
８１    容器体
８２    容器本体
８３    芳香剤（内容物）
９４    着色部
９５    同系着色部
【図１】
2004210296.tif 000003
【図２】
2004210296.tif 000004
【図３】
2004210296.tif 000005
【図４】
2004210296.tif 000006
【図５】
2004210296.tif 000007